(57)【要約】【課題】虫忌避薬剤の高揮散を確保しながら人手にも触れさせずに収納しておくことができるようにする。【解決手段】上面に渦巻き形状の溝３を形成した受け台４と、この受け台４の渦巻き溝３に虫忌避薬剤５を収納した防虫具であって、前記受け台４は、渦巻き溝３と略相似形の渦巻き形状であって、虫忌避薬剤５を載置する渦巻き溝３の底の底壁４Ａと、この底壁４Ａ上の渦巻き溝３の両側に立設する側壁４Ｂとを有し、両側壁４Ｂの高さを収納する虫忌避薬剤５の上面より高くしている。【選択図】図１
2018148810.tif 000002
【特許請求の範囲】
【請求項１】
上面に渦巻き形状の溝（３）を形成した受け台（４）と、この受け台（４）の渦巻き溝（３）に虫忌避薬剤（５）を収納した防虫具であって、
前記受け台（４）は、渦巻き溝（３）と略相似形の渦巻き形状であって、虫忌避薬剤（５）を載置する渦巻き溝（３）の底の底壁（４Ａ）と、この底壁（４Ａ）上の渦巻き溝（３）の両側に立設する側壁（４Ｂ）とを有し、両側壁（４Ｂ）の高さを収納する虫忌避薬剤（５）の上面より高くしていることを特徴とする防虫具。
【請求項２】
前記受け台（４）の底壁（４Ａ）に、渦巻き溝（３）を下方に開放する穴（６）を溝長手方向に間隔をおいて複数形成していることを特徴とする請求項１に記載の防虫具。
【請求項３】
前記受け台（４）は始端（４ａ）の下面に凹形状の取付部（８）を形成しており、この受け台（４）の取付部（８）を上部に連結する弾性支持体（９）と、この弾性支持体（９）の下部を連結して支持するスタンド（１０）とを有することを特徴とする請求項１又は２に記載の防虫具。
【請求項４】
前記受け台（４）は終端（４ｂ）に吊り下げ穴（１１）を形成していることを特徴とする請求項１〜３のいずれか１項に記載の防虫具。
【発明の詳細な説明】
【技術分野】
【０００１】
本発明は、揮発性虫忌避薬剤を用いた防虫具に関する。
【背景技術】
【０００２】
着火使用する蚊取り線香に代わり、火を使わない揮発性虫忌避薬剤を用いた防虫具がある。
この種の防虫具として、特許文献１の薬剤蒸散器は、底壁と周壁を有して上方が開口した容器本体の内部に、同心状又は渦巻状に形成された多重の隔壁と、該隔壁間で形成される空間の深さが外周側から中心方向に向けて順次深くなる逆錐形状又は階段形状の内底壁部とにより構成されるゲル状又は固形状の薬剤の薬剤充填部が設けられている（請求項１）。
【０００３】
また、特許文献２の害虫駆除用製品は、害虫を駆除する害虫駆除用製品であって、昆虫忌避剤又は殺虫剤の少なくとも一方が含有された樹脂からなる製品本体を備え、前記製品本体は、平面上で渦巻き形状を維持可能であると共に、立体的な螺旋形状に変形可能である（請求項１）。
【先行技術文献】
【特許文献】
【０００４】
【特許文献１】特開２００５−１８５２５２号公報
【特許文献２】特開２００７−３０６９２１号公報
【発明の概要】
【発明が解決しようとする課題】
【０００５】
前記前者従来技術は、薬剤を人手に触れさすことなく多量に収納しておけるが、容器本体は大型になり、薬剤の揮散性能を高くすることが困難になっている。
前記後者従来技術は、昆虫忌避剤が含有された樹脂自体で製品本体を作っているので、小型、軽量で揮散性能も高いが、人手に触れるものになっている。
本発明は、このような従来技術の問題点を解決できるようにした防虫具を提供することを目的とする。
【０００６】
本発明は、虫忌避薬剤の高揮散を確保しながら人手にも触れさせずに収納しておける防虫具を提供することを目的とする。
【課題を解決するための手段】
【０００７】
本発明における課題解決のための具体的手段は、次の通りである。
第１に、上面に渦巻き形状の溝３を形成した受け台４と、この受け台４の渦巻き溝３に虫忌避薬剤５を収納した防虫具であって、
前記受け台４は、渦巻き溝３と略相似形の渦巻き形状であって、虫忌避薬剤５を載置する渦巻き溝３の底の底壁４Ａと、この底壁４Ａ上の渦巻き溝３の両側に立設する側壁４Ｂとを有し、両側壁４Ｂの高さを収納する虫忌避薬剤５の上面より高くしていることを特徴とする。
【０００８】
第２に、前記受け台４の底壁４Ａに、渦巻き溝３を下方に開放する穴６を溝長手方向に間隔をおいて複数形成していることを特徴とする。
第３に、前記受け台４は始端４ａの下面に凹形状の取付部８を形成しており、この受け台４の取付部８を上部に連結する弾性支持体９と、この弾性支持体９の下部を連結して支持するスタンド１０とを有することを特徴とする。
【０００９】
第４に、前記受け台４は終端４ｂに吊り下げ穴１１を形成していることを特徴とする。
【発明の効果】
【００１０】
本発明によれば、虫忌避薬剤の高揮散を確保しながら人手にも触れさせずに収納しておくことができる。
即ち、請求項１に係る発明は、虫忌避薬剤５を収納する受け台４は渦巻き溝３と略相似形の渦巻き形状であり、渦巻き溝３の底壁４Ａから立設する両側の側壁４Ｂの高さを虫忌避薬剤５の上面より高くしているので、受け台４を極力小さくでき、虫忌避薬剤の高揮散を確保でき、かつ虫忌避薬剤５が人手に触れることを防止できる。
【００１１】
請求項２に係る発明は、受け台４の底壁４Ａに穴６を形成しているので、渦巻き溝３内の虫忌避薬剤５を下方にも揮散させることができる。
請求項３に係る発明は、受け台４は始端４ａの取付部８を弾性支持体９の上部に連結し、この弾性支持体９をスタンド１０に立設することにより、防虫具を床面等に載置することができる。
【００１２】
請求項４に係る発明は、受け台４は終端４ｂに吊り下げ穴１１を形成しているので、防虫具を壁、柱等に吊り具を介して吊り下げておくことができる。
【図面の簡単な説明】
【００１３】
【図１】本発明の実施形態を示す使用状態の斜視図である。
【図２】同平面図である。
【図３】図２のＸ−Ｘ線断面図である。
【図４】受け台の底面図である。
【図５】受け台の変形例を示す平面図である。
【発明を実施するための形態】
【００１４】
以下、本発明の実施の形態を図面に基づいて説明する。
図１〜４において、防虫具１は上面に渦巻き形状の溝３を形成した受け台４と、この受け台４の渦巻き溝３に収納された虫忌避薬剤５と、受け台４の底面に連結される弾性支持体９と、この弾性支持体９の下部を連結して支持するスタンド１０とを有している。
虫忌避薬剤５は、薬剤入り渦巻きコースタ紙であって、メトフルトリン、レモングラス等のハーブ、天然植物精油、その他の揮発性のある虫が忌避する薬剤を紙に染みこませたものであり、ポリプロピレン、ポリエチレン等の合成樹脂に薬剤を混合させたものでもよく、また発泡性合成樹脂に薬剤を含浸させたものでもよい。
【００１５】
この虫忌避薬剤５は薬剤の含浸量に応じて有効期間を種々設定したり、有効期間中に色を変化させたりすることができる。
前記虫忌避薬剤５は、平面視渦巻き形状であり、始端５ａから終端５ｂまで径が次第に大きくなる螺旋形状であり、始端５ａ近傍から終端５ｂまで略同一幅に形成され、始端５ａは前記幅より大きな直径の円形に形成されている。
【００１６】
受け台４は有色又は無色の合成樹脂で平面視渦巻き形状に形成されており、その上面に虫忌避薬剤５と略相似形の平面視渦巻き形状の渦巻き溝３が形成され、その外形は渦巻き溝３及び虫忌避薬剤５と略相似形（一回り大きい略相似形）であり、渦巻き溝３の始端３ａは虫忌避薬剤５の円形始端５ａが適合嵌合するように円形の凹部となっている。
虫忌避薬剤５の始端５ａ及び渦巻き溝３の始端３ａがその他の部分より若干大きめの円形になっていることにより、虫忌避薬剤５の始端５ａを渦巻き溝３の始端に挿入するための案内になるとともに、渦巻き溝３内で虫忌避薬剤５の始端５ａがずれ動くのを規制できる。
【００１７】
受け台４は、前記渦巻き溝３を底壁４Ａと左右側壁４Ｂとで形成している。底壁４Ａは虫忌避薬剤５を載置する渦巻き溝３の底であり、左右側壁４Ｂは渦巻き溝３の両側に立設されている。
前記左右側壁４Ｂは底壁４Ａよりもさらに下方に突出しており、受け台４の断面形状は略Ｈ型になっている。受け台４は底壁４Ａとそれより上の左右側壁４Ｂとで断面略コ字形状に形成してもよいが、前記断面略Ｈ型に形成する方が、上下方向及び水平方向の力に対して耐久性が向上される。
【００１８】
前記左右側壁４Ｂの底壁４Ａからの高さは、収納される虫忌避薬剤５の上下高さより高くなっている。即ち、渦巻き溝３の深さは虫忌避薬剤５の肉厚より大であり、虫忌避薬剤５が渦巻き溝３の底に収納されていると、人手が側壁４Ｂの上面に触れても、虫忌避薬剤５の上面とは接しないように構成されている。
前記受け台４の底壁４Ａには、渦巻き溝３を下方に開放する穴６が溝長手方向に間隔をおいて多数形成されている。この穴６は虫忌避薬剤５の下面の一部を空気に触れさせる役目をすることができる。穴６は円形穴を底壁４Ａに溝長手方向に密に配列されているが、広い間隔で粗に配列したり、長穴に形成したりしてもよい。
【００１９】
受け台４は始端４ａ側が渦巻き溝３の略中心で大径の略円形部分となっており、この略円形部分の下面側に円形凹形状の取付部８が形成されている。
前記取付部８は受け台４の略重心位置に形成されており、弾性支持体９の上部が連結される。弾性支持体９はスプリングコイル、弾性を有する合成樹脂等で形成され、その下部はスタンド１０と連結される。
【００２０】
前記弾性支持体９及びスタンド１０は、受け台４を床上等に平置き載置しておくものであり、組立て・分解をすることが可能になっている。
前記受け台４の終端４ｂは自由端であり、その端部には円形の吊り下げ穴１１が形成されている。この吊り下げ穴１１は、紐、鉤金具等の吊り具を通すことでき、受け台４を壁、柱等に吊り下げることができる。
【００２１】
防虫具１は、床上にスタンド１０を置き、このスタンド１０に弾性支持体９を立設し、弾性支持体９の上端に受け台４の略中心の取付部８を嵌合することにより、平置き状態に組立てられかつ使用可能になる。
平置き使用状態では、受け台４は重心付近で弾性支持体９によって支持されているので、受け台４は始端４ａから終端４ｂ側へ重力によって下がり、側面視円錐形状の螺旋形状となり、弾性支持体９がスプリングネックとなり、風や人手で触れて揺れ動くことになる。そして、受け台４内の虫忌避薬剤５は、揺れながら防虫成分、忌避成分を揮散することになる。
【００２２】
図５において受け台の変形例を示している。受け台４は、前記実施形態と同様に、有色又は無色の合成樹脂で平面視渦巻き形状に形成され、その上面に渦巻き形状の溝３を形成しているが、内周側の螺旋と外周側の螺旋とが周方向複数本の架橋部Ｋによって連結されている。
前記架橋部Ｋは、受け台４の略重心位置に形成される取付部８を中心にして放射方向に延びており、受け台４の周方向で１２０度間隔に配置されており、９０度、１８０度間隔であってもよい。
【００２３】
この架橋部Ｋは、受け台４の始端４ａから終端４ｂまでの保形剛性を高くすることができ、平置き使用状態で弾性支持体９によって支持されたときに、受け台４の終端４ｂ側が重力によって下がり過ぎるのを防止できる。
なお、本発明は前記実施形態に限定されるものではなく、部材の形状、構成及び組み合わせ等を変更したりすることもできる。
【００２４】
例えば、渦巻き溝３、受け台４及び虫忌避薬剤５は、平面形状が円形の螺旋形状の代わりに、平面形状が四角又は三角等の角形の螺旋形状にして、平置き使用状態で角錐形状になるようにしてもよい。
受け台４は始端４ａ側の重心位置に取付部として切り溝を形成して、火を使う蚊取り線香用の線香立てに装着しておけるようにしてもよい。
【００２５】
受け台４は合成樹脂に安息香酸デナトニウム等の苦み成分を配合しておいて、ペット動物が噛みつき難くしておいてもよく、また、合成樹脂の代わりに紙材を使用することも可能である。
虫忌避薬剤５は断面四角形であるが、上下面に凹凸を形成して揮散表面積を大きくしておいてもよく、また、揮散が終了した後、新たな虫忌避薬剤５を受け台４に収納してもよい。
【００２６】
虫忌避薬剤５は殺虫剤等の害虫駆除成分を含有していてもよく、ゲル状又は固形状にしたものを渦巻き溝３に充填してもよい。
【符号の説明】
【００２７】
１        防虫具
３        渦巻き溝
３ａ      渦巻き溝の始端
４        受け台
４Ａ      底壁
４Ｂ      側壁
４ａ      受け台の始端
４ｂ      受け台の終端
５        虫忌避薬剤
５ａ      虫忌避薬剤の始端
５ｂ      虫忌避薬剤の終端
６        穴
８        取付部
９        弾性支持体
１０      スタンド
１１      吊り下げ穴
【図１】
2018148810.tif 000003
【図２】
2018148810.tif 000004
【図３】
2018148810.tif 000005
【図４】
2018148810.tif 000006
【図５】
2018148810.tif 000007